(57)【要約】【課題】記録媒体に空き容量が不足しているときに、任意の時間に素早く記録媒体の空き容量を確保して、記録開始指示を受け付けてから実際に記録が開始するまでの時間を短縮すること。【解決手段】確保容量設定手段１０２で記録媒体１０１において確保したい空き容量Ｋを設定する。空き容量検出手段１０３によって記録媒体１０１の現在の空き容量Ｊを検出し、現在の空き容量Ｊが記録媒体１０１において確保したい空き容量Ｋより小さいかどうかをファイル削除判定手段１０４で判定する。小さい場合には記録情報検索手段１０５によって削除の対象とするファイルを検索し、削除手段１０６によって削除する。【選択図】図１
2007115376.tif 000002
【特許請求の範囲】
【請求項１】
ディジタル記録に用いられる記録媒体に対して、確保したい空き容量を設定するための確保容量設定手段と、
前記記録媒体の現在の空き容量を検出する空き容量検出手段と、
前記確保容量設定手段によって設定した確保したい空き容量と前記空き容量検出手段が検出した現在の空き容量を比較して、前記記録媒体に記録されているファイルを削除する必要性があるかどうかを判定するファイル削除判定手段と、
前記ファイル削除判定手段が前記記録媒体に記録されているファイルを削除する必要があると判断したときに、あらかじめ設定された条件に基づいて前記記録媒体に記録されているファイルを検索する記録情報検索手段と、
前記記録情報検索手段に決定された前記記録媒体に記録されているファイルの削除を行う削除手段と、を備えるディジタル記録再生装置。
【請求項２】
前記ファイル削除判定手段は、前記記録媒体に記録されているファイルが削除された後に、前記確保容量設定手段の確保したい空き容量と前記空き容量検出手段により更新された現在の空き容量とを比較して、前記記録媒体に記録されているファイルをさらに削除する必要があるかを判断する請求項１記載のディジタル記録再生装置。
【請求項３】
前記記録情報検索手段は、前記記録媒体に記録されているファイルに対する検索条件を設定するための検索条件設定手段を備えることを特徴とする請求項１または２のいずれかに記載のディジタル記録再生装置。
【請求項４】
前記ディジタル記録再生装置は、前記記録媒体の空き容量を設定するための条件を表示する表示装置を備えることを特徴とする請求項１、２または３のいずれかに記載のディジタル記録再生装置。
【請求項５】
前記表示装置は、前記記録媒体の空き容量を設定するための条件を記録可能な時間で表示する請求項４記載のディジタル記録再生装置。
【請求項６】
ディジタル記録に用いられる記録媒体に対して、確保したい空き容量を設定し、
前記記録媒体の現在の空き容量を検出し、
前記確保したい空き容量と前記現在の空き容量の比較により、前記記録媒体に記録されているファイルを削除する必要性があるかどうかを判断し、
前記記録媒体に記録されているファイルを削除する必要があると判断したとき、あらかじめ設定された条件に基づいて前記記録媒体に記録されているファイルを検索し、
前記記録媒体に記録されている検索されたファイルを削除するディジタル記録再生方法。
【請求項７】
前記記録媒体に記録されているファイルが削除された後に、確保したい空き容量と更新された現在の空き容量とを比較し、
前記記録媒体に記録されているファイルをさらに削除する必要があるかを判断する請求項６記載のディジタル記録再生方法。
【請求項８】
前記記録媒体に記録されているファイルに対する検索条件を、任意に設定することを特徴とする請求項６または７のいずれかに記載のディジタル記録再生方法。
【請求項９】
前記記録媒体の空き容量を設定するための条件を表示することを特徴とする請求項６，７または８のいずれかに記載のディジタル記録再生方法。
【請求項１０】
前記記録媒体の空き容量を設定するための条件を、記録可能な時間で表示する請求項９記載のディジタル記録再生方法。
【発明の詳細な説明】
【技術分野】
【０００１】
本発明は、所定の条件に基づきファイルを削除することが可能なディジタル記録再生方法およびディジタル記録再生装置に関する。
【背景技術】
【０００２】
近年、光ディスクや半導体メモリなどの記録媒体に、映像信号などをファイル化して記録する装置が一般的になってきている。記録媒体の大容量化に伴い、記録可能なファイル数も増大している。このような記録媒体にデータを新しく記録する場合、既にファイルが記録してある記録媒体の領域を新しいファイルで上書きしないように制御される。このため、容量が一杯になった記録媒体に新たに記録する場合には、記録媒体に記録可能な領域を確保する必要がある。
【０００３】
具体的には、既に記録されているファイルの中から不要なものを選択し、そのファイルを削除する。この操作を記録に必要な空き容量が確保されるまで繰り返す。この一連の操作によって新たにファイルを記録することが可能となる。記録媒体の空き容量が少なくなるたびに、上記の操作を行う必要があるが、記録媒体の大容量化に伴い、記録可能なファイル数が増大しているため、既に記録されている多くのファイルの中から、ユーザの必要度や削除によって増加する空き容量などを考慮しながら、削除するファイルを選択することは面倒である。
【０００４】
このような問題を解決するために、特許文献１は記録媒体の空き容量が不足している場合に、空き容量を確保するために削除すべきファイルを検索する情報検索装置を備えたディジタル記録再生装置を提案している。この装置によれば、記録指示を受け付けてから空き容量を確保するための検索条件を入力し、その条件に基づいて検索を行い、その検索結果を表示する。この検索によって、ユーザが容易に削除すべきファイルを判断することができるため、ユーザが削除するファイルを選択し、ファイルを削除することで、空き容量を確保することが可能である。しかし、ディジタルビデオカメラでは検索結果を表示する表示装置が小さく、一度に表示できる情報量が限られる。そのため、検索条件の入力や削除するファイルの選択が素早く行えない。
【０００５】
また、特許文献２は、記録を開始する際に自動的にファイルを削除する時期を設定し、設定された時期に到達したときに、自動でファイルを削除するディジタル記録再生装置を提案している。この装置によれば、設定された時期に到達したときに自動でファイルを削除できるため、空き容量を確保することが可能である。しかし、ファイルを削除する時期は、記録開始指示受付後、もしくは、設定された時期と限定されているため、ユーザが今すぐに素早く空き容量を確保したいというような場合には対応できない。
【特許文献１】特開２００４―３２８６０８号公報
【特許文献２】特開２００５―１１４６９号公報
【発明の開示】
【発明が解決しようとする課題】
【０００６】
上記のように、従来のディジタル記録再生装置は、記録媒体に空き容量がない場合には記録開始指示受付から実際に記録を開始するまでに検索条件を入力したり、ファイルを削除する時期を設定したりしなければならない。そのため、記録開始指示受付から実際の記録を開始するまでに時間がかかる。ＤＶＤレコーダーのように予約記録を前提としたディジタル記録再生装置では、記録開始指示受付から実際の記録開始に多少の時間がかかっても問題はないが、ディジタルビデオカメラのように記録開始指示受付からすぐに記録を開始したい場合には、この時間の短縮が大きな課題である。
【０００７】
そこで本発明は、ユーザが記録媒体の空き容量を素早く確保したい場合において、限られたインタフェースでも実現可能な簡単な操作でファイルを削除し、素早く所望の空き容量を確保することにより、ユーザの利便性を向上させることができるディジタル記録再生方法およびディジタル記録再生装置を提供することを目的とする。
【課題を解決するための手段】
【０００８】
この課題を解決するために、本発明のディジタル記録再生装置は、ディジタル記録に用いられる記録媒体に対して、確保したい空き容量を設定するための確保容量設定手段と、前記記録媒体の現在の空き容量を検出する空き容量検出手段と、前記確保容量設定手段によって設定した確保したい空き容量と前記空き容量検出手段が検出した現在の空き容量を比較して、前記記録媒体に記録されているファイルを削除する必要性があるかどうかを判定するファイル削除判定手段と、前記ファイル削除判定手段が前記記録媒体に記録されているファイルを削除する必要があると判断したときに、あらかじめ設定された条件に基づいて前記記録媒体に記録されているファイルを検索する記録情報検索手段と、前記記録情報検索手段に決定された前記記録媒体に記録されているファイルの削除を行う削除手段と、を備えるものである。
【０００９】
ここで前記ファイル削除判定手段は、前記記録媒体に記録されているファイルが削除された後に、前記確保容量設定手段の確保したい空き容量と前記空き容量検出手段により更新された現在の空き容量とを比較して、前記記録媒体に記録されているファイルをさらに削除する必要があるかを判断するようにしてもよい。
【００１０】
ここで前記記録情報検索手段は、前記記録媒体に記録されているファイルに対する検索条件を設定するための検索条件設定手段を備えるようにしてもよい。
【００１１】
ここで前記ディジタル記録再生装置は、前記記録媒体の空き容量を設定するための条件を表示する表示装置を備えるようにしてもよい。
【００１２】
ここで前記表示装置は、前記記録媒体の空き容量を設定するための条件を記録可能な時間で表示するようにしてもよい。
【００１３】
この課題を解決するために、本発明のディジタル記録再生方法は、ディジタル記録に用いられる記録媒体に対して、確保したい空き容量を設定し、前記記録媒体の現在の空き容量を検出し、前記確保したい空き容量と前記現在の空き容量の比較により、前記記録媒体に記録されているファイルを削除する必要性があるかどうかを判断し、前記記録媒体に記録されているファイルを削除する必要があると判断したとき、あらかじめ設定された条件に基づいて前記記録媒体に記録されているファイルを検索し、前記記録媒体に記録されている検索されたファイルを削除するものである。
【００１４】
ここで前記記録媒体に記録されているファイルが削除された後に、確保したい空き容量と更新された現在の空き容量とを比較し、前記記録媒体に記録されているファイルをさらに削除する必要があるかを判断するようにしてもよい。
【００１５】
ここで前記記録媒体に記録されているファイルに対する検索条件を、任意に設定するようにしてもよい。
【００１６】
ここで前記記録媒体の空き容量を設定するための条件を表示するようにしてもよい。
【００１７】
ここで前記記録媒体の空き容量を設定するための条件を、記録可能な時間で表示するようにしてもよい。
【００１８】
このような構成により、ユーザが記録媒体に必要な空き容量を確保したい場合に素早く削除対象ファイルの検索と削除を行うことができるため、この検索と削除とを必要な空き容量が確保できるまで自動で繰り返すことにより、記録媒体に必要な空き容量を素早く確保することができる。
【発明の効果】
【００１９】
以上のように本発明のディジタル記録再生装置およびディジタル記録再生方法によれば、ユーザが任意の時間に必要な空き容量を簡単に素早く確保できるので、ユーザの利便性を向上させることができる。
【発明を実施するための最良の形態】
【００２０】
以下、本発明を実施するための最良の形態について、図面を参照しながら説明する。
（実施の形態１）
図１は、本発明の実施の形態１のディジタル記録再生装置の構成を示すブロック図である。図１において、記録媒体１０１はファイルを記録するものである。確保容量設定手段１０２は記録媒体１０１において確保したい空き容量Ｋを設定するものであり、空き容量検出手段１０３は記録媒体１０１の現在の空き容量Ｊを取得するものである。ファイル削除判定手段１０４は、確保容量設定手段１０２で設定された確保したい空き容量Ｋと、空き容量検出手段１０３によって検出された記録媒体１０１の現在の空き容量Ｊとを比較し、ファイルを削除する必要性があるかどうかを判定するものである。記録情報検索手段１０５は、あらかじめ設定されている検索条件で記録媒体１０１に記録されているファイルを検索するものであり、削除手段１０６はファイル削除判定手段１０４の結果に応じて記録情報検索手段１０５によって決定されたファイルの削除を行うためのものである。
【００２１】
上記のように構成された本発明のディジタル記録再生装置の動作について、図２を参照しながら説明する。まず、記録媒体１０１において確保したい空き容量Ｋを確保容量設定手段１０２で設定する（Ｓ２０１）。これが空き容量確保の指示の受け付けとなる。次に、空き容量検出手段１０３によって記録媒体１０１の現在の空き容量Ｊを検出する（Ｓ２０２）。そして、記録媒体１０１の現在の空き容量Ｊが確保したい空き容量Ｋより小さいかどうかを、ファイル削除判定手段１０４によって判定する（Ｓ２０３）。Ｊ≧Ｋの場合、すなわち記録媒体１０１の現在の空き容量Ｊが確保したい空き容量Ｋ以上の場合には、新たに空き容量を確保する必要がないので処理を終了する。
【００２２】
Ｊ＜Ｋの場合は、すなわち記録媒体１０１の現在の空き容量Ｊが確保したい空き容量Ｋより小さいので、ファイルを削除して新たに空き容量を確保する必要がある。そこで、あらかじめ記録再生装置で設定した条件にあうファイルを記録情報検索手段１０５で検索する（Ｓ２０４）。そして、記録情報検索手段１０５によって検索されたファイルを削除手段１０６によって削除する（Ｓ２０５）。削除手段１０６によってファイルを削除したことにより、記録媒体１０１の現在の空き容量が削除したファイルサイズＸ分だけ増加するので、記録媒体１０１の現在の空き容量ＪをＪ＋Ｘに更新する（Ｓ２０６）。そしてＳ２０３に戻り、更新された現在の空き容量Ｊと確保したい空き容量Ｋとを再び比較する。
【００２３】
このようにして記録媒体１０１の現在の空き容量Ｊを更新するたびにＳ２０６からＳ２０３に戻り、ファイル削除判定手段１０４によってファイルの削除判定を行う。このループをＪ≧Ｋとなるまで繰り返す。すなわち記録媒体１０１の現在の空き容量Ｊが確保したい空き容量Ｋと同じ、もしくは記録媒体１０１の現在の空き容量Ｊが確保したい空き容量Ｋより大きくなるまで繰り返すことにより、所望の必要空き容量Ｋを確保することができる。
【００２４】
なお、本実施の形態においては、記録情報検索手段１０５によって検索する検索条件は、あらかじめ記録再生装置で設定されているとしたが、記録再生装置が備える検索条件設定手段を用いてユーザが設定しても良い。検索条件設定手段に入力する検索条件には、ファイル記録日時やファイルサイズ、ファイルのロック設定などが挙げられるが、複数の条件に対して優先順位を設定しても良い。
【００２５】
また、本実施の形態においては、Ｓ２０２の記録媒体の現在の空き容量Jの取得は、Ｓ２０１で確保したい空き容量Ｋを設定してから行うとしているが、当該設定前に前にあらかじめ取得しておいても良い。これにより、必要な空き容量確保の時間をより短縮することが可能である。
【００２６】
また、本実施の形態においては、確保容量設定手段１０２による、確保したい空き容量Ｋの設定を空き容量確保の指示の受け付けとみなして図２の処理を開始しているが、あらかじめ確保容量設定手段１０２で確保したい空き容量Ｋを設定しておき、別の方法で確保の指示を受け付けて、図２の処理を開始しても良い。ここで、確保容量設定手段１０２で設定する確保したい空き容量Ｋは、直接ファイルサイズを指定するだけでなく、確保したい記録時間での指定も可能である。この場合、確保容量設定手段１０２において、確保したい記録時間から確保したい空き容量Ｋに変換する必要がある。
【００２７】
また、Ｓ２０４の記録情報検索手段１０５でファイルの検索を行う場合に、あらかじめ設定された条件にあるファイルが存在しない場合も考えられる。この場合には、Ｓ２０５のファイルの削除が実行できないので、図２の処理を終了し、必要な空き容量が確保できないことをユーザに伝える必要がある。
【００２８】
ここで、図２の処理を開始する空き容量確保の指示の受け付けについて、図３、図４を用いてさらに詳細に説明する。図３は、ディジタルビデオカメラのモニター画面を示している。このモニター画面に撮影中の画像やカメラの状態などが表示される。ディジタルビデオカメラでは、記録モードにした場合、選択されている記録画質３０３と記録媒体１０１に更に記録可能な時間３０２が表示される。例えば、図３では記録画質として「ＮＯＲＭＡＬ」と残り時間が表示される。ユーザがこの記録可能な時間３０２から空き容量を確保すべきかどうか判断することが予想される。よって図３の表示状態からから素早く必要な空き容量を確保できる手段が必要である。
【００２９】
その手段の一例として、メニューの中に「確保」という項目を用意しておく方法がある。この「確保」という項目を選択したときのモニターの表示例を図４に示す。図４では、ユーザが確保したい時間４０２を選択できるようにしてある。この確保したい時間４０２は、記録画質３０３に対応したものである。確保したい容量を選択できるようにしても良いが、容量よりも時間で表す方がユーザにとってわかりやすいため、ユーザの利便性が向上する。また、ユーザが直接確保したい容量や時間を数値で入力することも可能であるが、３、４個の候補を選択する方法を用いることにより、ディジタルビデオカメラのような制限の多いインタフェースでも素早く操作することが可能である。もちろん、容量と時間の両方から選択できるようにしても良いし、直接入力と数個からの選択方式の両方を備えても良い。
【００３０】
なお、本実施の形態においては、ディジタルビデオカメラを用いて説明したが、もちろん一例にすぎず、ランダムアクセス可能で書換え可能な記録媒体に対してファイルの削除を行うＤＶＤレコーダーのような他のディジタル記録再生装置でも良い。
【００３１】
また、本実施の形態においては、メニューからの選択によって空き容量確保の指示を受け付けるとしたが、確保のためのボタンを用意し、そのボタンを押すことによって確保の指示を受け付けても良い。この場合、確保のためのボタンを押したときに確保される空き容量をあらかじめ設定しておくことにより、より素早く簡単に空き容量を確保することが可能である。また、空き容量確保の指示の受け付けのタイミングは、ファイルを記録していないときはもちろん、ファイルの記録中であってもよい。
【産業上の利用可能性】
【００３２】
本発明のディジタル記録再生方法およびディジタル記録再生装置によれば、ユーザが任意の時間に任意の空き容量を記録媒体に素早く確保することができるので、ランダムアクセス可能で書換え可能な記録媒体に対してファイルの削除を行うディジタルスチルカメラやディジタルビデオカメラ、ＤＶＤレコーダー等、広い範囲において有用である。
【図面の簡単な説明】
【００３３】
【図１】本発明の実施の形態によるディジタル記録再生装置構成を示すブロック図
【図２】本実施の形態によるディジタル記録再生装置の動作を示すフローチャート
【図３】本実施の形態によるディジタル記録再生装置における記録画質画面の一例を示す模式図
【図４】本実施の形態によるディジタル記録再生装置における確保メニュー画面の一例を示す模式図
【符号の説明】
【００３４】
１０１  記録媒体
１０２  確保容量設定手段
１０３  空き容量検出手段
１０４  ファイル削除判定手段
１０５  記録情報検索手段
１０６  削除手段
【図１】
2007115376.tif 000003
【図２】
2007115376.tif 000004
【図３】
2007115376.tif 000005
【図４】
2007115376.tif 000006